(57)【要約】【課題】下地に設けた通孔に対し、水下側に限らず四方（周囲）から配線を臨ませることができ、配線の摩擦による破断や損傷を生ずることがない太陽エネルギー変換モジュールの配線引き込み構造を提供する。【解決手段】本発明は、屋根下地４に設けた裏面側に貫通する通孔４０に、キャップ材１を嵌め付け、太陽エネルギー変換モジュール２の配線２２を前記キャップ材１の開口部１０から通孔２２を通って下地４の裏面側へ引き込む太陽エネルギー変換モジュール２の配線引き込み構造であって、前記キャップ材１は、前記通孔２２に嵌め付けられる筒部１１と、前記筒部１１の上縁から外側上方へ凸状に湾曲する湾曲部１２と、前記湾曲部１２の下端から延在して下地面４に沿う取付部１３とからなることを特徴とする。【選択図】図１
2010229771.tif 000002
【特許請求の範囲】
【請求項１】
屋根下地に設けた裏面側に貫通する通孔に、その開孔縁を覆うキャップ材を嵌め付け、太陽エネルギー変換モジュールの配線を前記キャップ材の開口部から通孔を通って下地の裏面側へ引き込む太陽エネルギー変換モジュールの配線引き込み構造であって、
前記キャップ材は、前記通孔に嵌め付けられる筒部と、前記筒部の上縁から外側上方へ凸状に湾曲する湾曲部と、前記湾曲部の下端から延在して下地面に沿う取付部とからなることを特徴とする太陽エネルギー変換モジュールの配線引き込み構造。
【請求項２】
太陽エネルギー変換モジュールの配線が、キャップ材の湾曲部により上方へ凸状に屈曲されて配設されていることを特徴とする請求項１に記載の太陽エネルギー変換モジュールの配線引き込み構造。
【請求項３】
請求項１又は２に記載の配線引き込み構造を用いたことを特徴とする太陽エネルギー変換モジュールを備える外装構造。
【発明の詳細な説明】
【技術分野】
【０００１】
本発明は、下地に設けた通孔に対し、水下側に限らず四方（周囲）から配線を臨ませることができ、配線の摩擦による破断や損傷を生ずることがない太陽エネルギー変換モジュールの配線引き込み構造及び太陽エネルギー変換モジュールを備える外装構造に関する。
【背景技術】
【０００２】
従来、複数の太陽エネルギー変換モジュールを設置した屋根においては、棟に配線を集めて屋根下地の裏面側に導入され、室内側から臨ませた電源と連絡する方法が採られている。
このような構造では、屋根面に広く太陽エネルギー変換モジュールを設置した場合に、各太陽エネルギー変換モジュールの配線を棟側へ集める必要があり、配線が絡み合ったり、長く必要であるなどの問題が生じていた。
【０００３】
そこで、屋根面に裏面側に貫通する通孔を設け、この通孔から配線を引き込む提案がなされている。
例えば特許文献１には、通孔（配線引込口３４）の水下側に、傾斜片状の折返し部２を設けた水返し材１を固定し、水下側から臨ませた配線３２を前記折返し部２を越えるように取り付けて通孔へ導入し、膨出部６を設けたカバー材５にて前記通孔及び水返し材１を覆う構造が提案されている。
また、特許文献２には、裏面側に配した粘着性シール材１３と表面側に配した成型シール材との間に水下側から臨ませた配線（電導線４）を挟み込むように保持した構造が提案されている。
さらに、特許文献３には、下地に設けた通過口９と、底板１８に切り抜き口２０とを合致させ、水下側から臨ませた配線７を通過口９に導入し、防護部材１１にて前記底板１８を覆い、隙間にはロックウールなどの不燃部材１７を詰め込んだ構造が提案されている。
【先行技術文献】
【特許文献】
【０００４】
【特許文献１】特許第３８０５１６６号公報
【特許文献２】特開平２−２４３８６６号公報
【特許文献３】特開２０００−１６６０６３号公報
【発明の概要】
【発明が解決しようとする課題】
【０００５】
しかしながら、前記特許文献１〜３の構造では、下地に設けた通孔に対し、何れも水下側から配線を臨ませる構成であるため、使い勝手が悪く、多くの通孔を穿設する必要があった。
また、特に前記特許文献１の構造では、配線３２が傾斜片状の折返し部２を越えるように配設されているため、配線３２は折返し部２の先端と接触して擦れる恐れがあるため、破断や漏電を起こす原因となっていた。
【０００６】
そこで、本発明は、前述の問題を解消でき、下地に設けた通孔に対し、水下側に限らず四方（周囲）から配線を臨ませることができ、配線の摩擦による破断や損傷を生ずることがない太陽エネルギー変換モジュールの配線引き込み構造及び太陽エネルギー変換モジュールを備える外装構造を提案することを目的とする。
【課題を解決するための手段】
【０００７】
本発明は、上記に鑑み提案されたもので、屋根下地に設けた裏面側に貫通する通孔に、キャップ材を嵌め付け、太陽エネルギー変換モジュールの配線を前記キャップ材の開口部から通孔を通って下地の裏面側へ引き込む太陽エネルギー変換モジュールの配線引き込み構造であって、前記キャップ材は、前記通孔に嵌め付けられる筒部と、前記筒部の上縁から外側下方へ凸状に湾曲する湾曲部と、前記湾曲部の下端から延在して下地面に沿う取付部とからなることを特徴とする太陽エネルギー変換モジュールの配線引き込み構造に関するものである。
【０００８】
また、本発明は、前記配線引き込み構造において、太陽エネルギー変換モジュールの配線が、キャップ材の湾曲部により上方へ凸状に屈曲されて配設されていることを特徴とする太陽エネルギー変換モジュールの配線引き込み構造をも提案するものである。
【０００９】
さらに、本発明は、前記配線引き込み構造を用いたことを特徴とする太陽エネルギー変換モジュールを備える外装構造をも提案するものである。
【発明の効果】
【００１０】
本発明の太陽エネルギー変換モジュールの配線引き込み構造は、下地に設けた通孔に対し、水下側に限らず四方（周囲）から配線を臨ませることができ、キャップ材の湾曲部の凸状の頂部である開口縁が取付部より上方に位置するため、下地表面に敷設された防水材上に雨水が浸入しても開口縁から流入するのを防止することができる。
さらに、配線と接触する湾曲部は、曲面にて構成されているため、配線の摩擦による破断や損傷を生ずることがない。
【００１１】
また、太陽エネルギー変換モジュールの配線が、キャップ材の湾曲部により上方へ凸状に屈曲されて配設されている場合には、配線に付着した結露水を通孔の外側へつたい落とすことができ、通孔の中への浸水を防止することができる。
【００１２】
前記配線引き込み構造を用いた本発明の外装構造は、前述のように水下側に限らず四方（周囲）から配線を臨ませることができるため、少なくとも配線を水下側からのみに限定した前記従来例に比べて使い勝手がよく、また通孔を穿設する数も少なくてよい。
【図面の簡単な説明】
【００１３】
【図１】（ａ）本発明の配線引き込み構造を適用した外装構造の一実施例を示す正断面図、（ｂ）その側断面図、（ｃ）Ａ部の拡大断面図である。
【図２】本発明に用いるキャップ材の一実施例を示す半分を欠載した斜視図である。
【図３】（ａ）本発明の配線引き込み構造を適用した外装構造の他の一実施例を示す正断面図、（ｂ）その側断面図である。
【発明を実施するための形態】
【００１４】
本発明の太陽エネルギー変換モジュールの配線引き込み構造は、屋根下地に設けた裏面側に貫通する通孔に、キャップ材を嵌め付け、太陽エネルギー変換モジュールの配線を前記キャップ材の開口部から通孔を通って下地の裏面側へ引き込むものである。
【００１５】
本発明に用いられる前記キャップ材は、前記通孔に嵌め付けられる筒部と、前記筒部の上縁から外側下方へ凸状に湾曲する湾曲部と、前記湾曲部の下端から延在して下地面に沿う取付部とからなる。
【００１６】
前記筒部は、屋根下地に設けられる通孔の形状に応じて成形されるものであって、例えば円形状の通孔に対しては、略円筒状に成形すればよく、多角形状の通孔に対しては、略角柱状に成形すればよい。
【００１７】
前記湾曲部は、前記筒部の上縁から外側上方へ凸状に湾曲する曲面にて構成される。この「筒部の上縁から外側上方へ凸状に湾曲する曲面」とは、凸状の頂部までは外側へ拡がりつつ上昇し、頂部からは外側へ拡がりつつ下降する形状であって、連続状に形成されて湾曲する曲面をなすものである。この凸状の頂部は、略擂り鉢状に形成される開口部の上端であるから、後述する図示実施例の説明では開口縁という。
【００１８】
前記取付部は、前記湾曲部の下端から延在して下地面に沿うものであって、下地の表面には、多くの場合に防水材（防水シート）が敷設されているので、この防水材の表面に沿うものである。この取付部は、ビス等の固定具で固着してもよいし、その他の接着や溶着などの固定方法でもよく、その裏面（下地の防水シートとの間）には防水材（シール材）を介在させるのが好ましい。このような構成にすることで、防水シート上を流下する雨水が通孔から室内側へ浸水することがない。
【００１９】
なお、本発明におけるキャップ材を、前記筒部と前記湾曲部と前記取付部とからなる構成と説明したが、各部位（特に筒部と湾曲部）は連続していて明確な区別があるものではないが、以下も便宜的に名称を付けて説明する。
また、このキャップ材を円形状に形成することで、雨水を軒側や風下側へ速やかに流下させることができ、どの方向から開口部に向かってきても、開口部から侵入することはない。
【００２０】
また、本発明に適用される太陽エネルギー変換モジュール（以下、太陽電池という）、及びその配線については、何等限定されるものではない。
【００２１】
本発明では、前記構成のキャップ材を用いるものであるから、下地に設けた通孔に対し、水下側に限らず四方（周囲）から配線を臨ませることができ、少なくとも配線を水下側からのみに限定した前記従来例に比べて使い勝手がよく、また少ない通孔を穿設すればよい。そして、キャップ材の湾曲部の凸状の頂部である開口縁が取付部より上方に位置するため、下地表面に敷設された防水材上に雨水が浸入しても開口縁から内側へ流入するのを防止することができる。
【００２２】
また、本発明では、各配線は前記キャップ材の湾曲部を越えて開口部から通孔を通って下地の裏面側へ引き込むように配設されるため、配線の摩擦による破断や損傷を生ずることがない。
【実施例１】
【００２３】
図１に示す太陽エネルギー変換モジュール２０の配線引き込み構造は、屋根下地４に設けた裏面側に貫通する通孔４０に、キャップ材１を嵌め付け、太陽エネルギー変換モジュール２０の配線２２を前記キャップ材１の開口部１０から通孔４０を通って下地４の裏面側へ引き込むものである。
【００２４】
前記キャップ材１は、図２に示すように前記通孔４０に嵌め付けられる筒部１１と、前記筒部１１の上縁から外側上方へ凸状に湾曲する湾曲部１２と、前記湾曲部１２の下端から延在して下地面４に沿う取付部１３とからなる構成である。
【００２５】
前記筒部１１は、屋根下地４に設けられた平面視円孔状の通孔４０に応じて略円筒状に成形されたものであり、その下縁は、僅かに拡開している。
なお、この筒部１１の上縁は、外側上方へ拡開しているが、この構成は、湾曲部１２として後述する。
【００２６】
前記湾曲部１２は、前記筒部１１の上縁から外側上方へ凸状に湾曲する曲面にて構成される。この凸状の頂部は、略擂り鉢状に形成される開口部１０の上端であるから開口縁１２１という。
【００２７】
前記取付部１３は、前記湾曲部１２の下端から延在して下地面４（防水シート４１）に沿っている。また、その際、シール材４２を介して取付部１３を防水シート材４１と接着するようにした。
【００２８】
また、図示実施例では、野地材からなる屋根下地４上に流れ方向に沿う縦桟材（垂木）５が所定間隔にて固定され、この縦桟材５を含めて屋根下地４の表面を覆うように防水シート４１が隙間なく敷設されている。
【００２９】
そして、本発明の配線引き込み構造は、前記キャップ材１を用いて配線２２を引き込むため、下地４に設けた通孔４０に対し、水下側に限らず四方（周囲）から配線２２を臨ませることができ、キャップ材１の湾曲部１２の凸状の頂部である開口縁１２１が取付部１３より上方に位置するため、下地面４に敷設された防水シート材４１上に雨水が浸入しても開口縁１２１から流入するのを防止することができる。
さらに、配線と接触する湾曲部１２、曲面にて構成されているため、配線２２の摩擦による破断や損傷を生ずることがない。
【００３０】
また、図示実施例では、配線２２が、キャップ材１の湾曲部１２により上方へ凸状に屈曲されて配設されているので、配線２２に付着した結露水を通孔４０の外側へつたい落とすことができ、通孔４０の中への浸水を防止することができる。
【００３１】
また、図示実施例における太陽エネルギー変換モジュール（太陽電池）２０を一体的に備えるパネル２（以下、後述する一般屋根のパネルと区別するためにパネル材という）は、太陽電池２０の端縁に略コ字状のシール材２１が取り付けられ、裏面側にケーブルボックス２４を備える構成である。
このパネル材２の左右方向の接続は、図１（ｃ）に示すように略Ｈ型のジョイント材２３に対して左右から突き合わせるように接続するため、一面状にパネル材２，２が接続されている。
また、流れ方向の接続は、水上方向が開放する上方溝部３１と水下方向が開放する下方溝部３２とを備える横桟材３を用いて接続し、前記上方溝部３１に水上側のパネル材２の水下側の端部を嵌め込み、前記下方溝部３２に水下側のパネル材２の水上側の端部を嵌め込むため、段状にパネル材２，２が接続されている。
前記ジョイント材２３や横桟材３は、例えばアルミの押出成形品でもよいし、ＦＲＰ等の合成樹脂の成形品でもよく、特にその材質等を限定するものではない。
【００３２】
さらに、図示実施例では、前記縦桟材５上に、前記構成のパネル材２を支持させるが、厳密にはパネル材２の流れ方向の端縁に取り付けられた前記横桟材３を縦桟材５の上面に載置して固定具３３を打ち付けて固定しており、太陽電池２０自体が縦桟材５と接触して摩擦等により損傷を受けるようなことはない。
【００３３】
また、図示実施例は、太陽エネルギー変換モジュールを備えない外装構造（以下、一般構造という）が隣接している。
図１（ａ）の右方側に位置する一般構造は、下地４上に捨板９ａが敷かれた上に平板状のパネル９が載置され、前記横桟材３の底面及び側面に沿う桁端金具９ｂを取付け、該桁端金具９ｂ及びパネル９の端部表面を覆うように覆い材９ｃを取り付けて雨水の浸入を防止する構造である。なお、図中、９ｄは覆い材９ｃを桁端金具９ｂに固定するための面戸である。
このように左右方向に隣接する本発明における外装構造と前記一般構造とは、容易に接続することができる。
【００３４】
また、流れ方向に隣接する本発明における外装構造と前記一般構造も、図１（ｂ）に示すように容易に接続できる。
すなわち、前記屋根下地４の表面を覆う防水シート４１の水下側の端縁を持ち上げて、一般構造部分では最も水上側に位置するパネル９上に沿わせることにより、防水シート４１を流れる雨水を一般構造におけるパネル９上に導くことができ、この一般構造の屋根面に沿って水下側へ流下させることができる。
また、横桟材３の裏面側に覆い材９ｅを取付け、該覆い材９ｅが一般構造部分では最も水上側に位置するパネル９上に沿うように取り付けて雨水の浸入を防止している。
【００３５】
そして、このように前記配線引き込み構造を用いた外装構造では、前述のように水下側に限らず四方（周囲）から配線２２を臨ませることができるため、少なくとも配線２２を水下側からのみに限定した前記従来例に比べて使い勝手がよく、また通孔４０を穿設する数も少なくてよい。
【００３６】
図３（ａ），（ｂ）に示す実施例は、前記図１の実施例では防水シート４１のみによる防水（排水）構造を採用していたのに対し、それに加えて流水部材７や排水部６１を備える縦支持材６を用いて排水する二重の防水（排水）構造を備える構成である。
【００３７】
この図３の実施例におけるパネル材２'は、太陽電池２０の流れ方向及び左右方向の各側縁に、下方内側に内部が空洞の支持部を備えるフレーム２５ａ〜２５ｄが取り付けられている構成であって、左右に隣接する前記パネル材２'，２'間に、前記排水部６１を備える縦支持材６が配設されて接続されている。
【００３８】
前記縦支持材６は、流れ方向に連続する通し材であり、排水部６１の側面から垂下する脚部６２，６２の下端に固定具６３により下地４上に固定される固定部６４が設けられ、排水部６１の側面の上端には、内側へ折曲して流水部材７の端部を裏面から支持する支持部６１１が設けられている。また、排水部６１の底面の略中央には、上方に隆起する隆起部６５が設けられ、該隆起部６５の左右に形成された肩状水平部６５１，６５１に、前記パネル材２'，２'の左右側縁のフレーム２５ｃ，２５ｄの底部を受支し、その頂部に左右のパネル材２'，２'間を覆うカバー材８の固定具８１が打ち付けられる構成である。
【００３９】
前記カバー材８は、前記縦支持材６と同様に流れ方向に連続する通し材であり、略左右対称のフレーム材であり、略中央に長ボルトである固定具８１を打ち込んで縦支持材６（の隆起部６５の頂部）に固定されている。このカバー材８と太陽電池２０の端縁のフレーム２５ｃ，２５ｄとの間には、ハッチングで示すシール材を充填して雨水の浸入を阻止するようにしている。
【００４０】
また、この図示実施例でも、前記実施例と同様に、太陽エネルギー変換モジュールを備えない一般構造が隣接している。なお、ここで用いられている縦支持材６'は、中央から左側の構成については、前記縦支持材６と全く同様であるが、排水部６１'は左側にのみ形成され、幅広の隆起部６５'の右側面から上方に延在して内側に折り曲げられ、カバー材８の右半を受支する支持部６５２が設けられている。
図３（ａ）の右方側に位置する一般構造は、下地４上に捨板９ｆが敷かれた上に平板状のパネル９が載置され、該パネル９は、その端部が前記隆起部６５'の下側に位置するように配し、前記支持部６５２及びパネル９の端部表面を覆うように覆い材９ｇを取り付けて雨水の浸入を防止する構造である。
このように左右方向に隣接する本発明における外装構造と前記一般構造とは、容易に接続することができる。
【００４１】
また、流れ方向に隣接する本発明における外装構造と前記一般構造も、図３（ｂ）に示すように容易に接続できる。
すなわち、前記縦支持部材６の排水部６１を下地４より高い位置に形成したので、一般構造部分では最も水上側に位置するパネル９上に沿わせることができ、排水部６１を流れる雨水を一般構造におけるパネル９上に導くことができ、この一般構造の屋根面に沿って水下側へ流下させることができる。
また、パネル材２'の水下側縁のフレーム２５ｂの水下面側に覆い材９ｇを取付け、該覆い材９ｇが一般構造部分では最も水上側に位置するパネル９上に沿うように取り付けて雨水の浸入を防止している。
【００４２】
そして、この図３の実施例でも、前記図１の実施例と同様に、水下側に限らず四方（周囲）から配線２２を臨ませることができ、キャップ材１の湾曲部１２の凸状の頂部である開口縁１２１が取付部１３より上方に位置するため、下地面４に敷設された防水シート材４１上に雨水が浸入しても開口縁１２１から流入するのを防止することができる。また、少なくとも配線２２を水下側からのみに限定した前記従来例に比べて使い勝手がよく、通孔４０を穿設する数も少なくてよい。
さらに、この図示実施例でも、配線２２が、キャップ材１の湾曲部１２により上方へ凸状に屈曲されて配設されているので、配線２２に付着した結露水を通孔４０の外側へつたい落とすことができ、通孔４０の中への浸水を防止することができる。
【００４３】
また、この図示実施例では、前述のように防水シート４１による防水（排水）構造に加えて流水部材７や排水部６１を備える縦支持材６を用いて排水する二重の防水（排水）構造を備える構成であるため、雨仕舞いの信頼性がより高いものとなる。
なお、図３（ａ）における左側の縦支持材６の排水部６１の下側では、クロスハッチングにて示す部分の上で防水シート４１，４１を継ぎ合わせているが、このクロスハッチングで示す部分は、高い位置での継ぎ合わせを行うための部材を示すものであって、定形又は不定形の充填材を介在させてもよい。
【００４４】
前記流水部材７は、流れ方向に直交する方向に沿って、すなわち横方向に配設される樋状の部材であって、その端部には、図３（ｂ）に示されるように底面及び側面の下方部分をシール材７１が覆う構成であって、このシール材７１は、図３（ａ）に示されるように支持部６１１の先端と当接して流水部材７が排水部６１から外れないように規制する役割も果たしている。
【符号の説明】
【００４５】
１  キャップ材
１０  開口部
１１  筒部
１２  湾曲部
１２１  開口縁
１３  取付部
２  パネル材（太陽電池パネル）
２０  太陽エネルギー変換モジュール（太陽電池）
２１  シール材
２２  配線
２３  ジョイント材
２４  ケーブルボックス
２５ａ〜２５ｄ  フレーム
３  横桟材
３１  上方溝部
３２  下方溝部
３３  固定具
４  屋根下地（下地面）
４０  通孔
４１  防水シート
４２  シール材
５  縦桟材
６  縦支持材
６１  排水部
６２  脚部
６３  固定具
６４  固定部
６５  隆起部
６５１  肩状水平部
６５２  支持部
７  流水部材
９  パネル
【図１】
2010229771.tif 000003
【図２】
2010229771.tif 000004
【図３】
2010229771.tif 000005